(57)【要約】【課題】本発明は、短時間で洗濯物に潜む害虫を駆除可能な洗濯機械を提供することである。【解決手段】外部から空気を取り込む吸気口と、吸気口から取り込んだ空気を燃焼させ、空気を加熱する燃焼部と、燃焼部で加熱された空気が通過する洗濯ドラムと、洗濯ドラムを通過したのちの空気を外部に排出する排気口と、を有する洗濯機械であって、洗濯開始前に、燃焼部で加熱された空気を洗濯ドラムに供給することによる害虫駆除モードを有する。【選択図】図１
2019083862.tif 000002
【特許請求の範囲】
【請求項１】
外部から空気を取り込む吸気口と、
前記吸気口から取り込んだ空気を燃焼させ、空気を加熱する燃焼部と、
前記燃焼部で加熱された空気が通過する洗濯ドラムと、
前記洗濯ドラムを通過したのちの空気を外部に排出する排気口と、を有する洗濯機械であって、
洗濯開始前に、前記燃焼部で加熱された空気を前記洗濯ドラムに供給することによる害虫駆除モードを有する
洗濯機械。
【請求項２】
前記洗濯ドラムと、前記排気口との間に、前記吸気口から空気を取り込むためのファンが設けられている
請求項１に記載の洗濯機械。
【請求項３】
前記害虫駆除モード時に、前記洗濯ドラムは回転する
請求項１又は２に記載の洗濯機械。
【請求項４】
前記害虫駆除モードの駆動時間が、洗濯工程の後に行う乾燥工程の駆動時間よりも短い時間である
請求項１〜３いずれか１項に記載の洗濯機械。
【発明の詳細な説明】
【技術分野】
【０００１】
本発明は、洗濯物に潜む害虫を駆除可能な洗濯機械に関する。
【背景技術】
【０００２】
特許文献１には、アレルゲンを洗濯物から効率的に除去できるとする洗濯機械および制御方法の技術が開示されている。この技術では、スチームを使用して洗濯を実行することによって、洗濯効率が非常に高められるとの前提からドラム型洗濯機において、スチーム発生器によって水を高温のスチームにし、ドラムに高温スチームを供給している。これにより、洗濯物が殺菌されるとしている。また、スチームの後は、洗濯物をすすぐ、すすぎステップ、すすがれた洗濯物を脱水する脱水ステップへと進む。
【先行技術文献】
【特許文献】
【０００３】
【特許文献１】特許５５３９７２１号公報
【発明の概要】
【発明が解決しようとする課題】
【０００４】
しかしながら、特許文献１に記載の洗濯機械および制御方法においては、スチームでドラム内部の周囲温度または水温を所定の温度まであげ、所定時間の間その温度を持続する必要があり、殺菌までに時間がかかる。また、温水で行った場合、死滅した害虫が洗濯物の繊維に引っかかったままとなり、そのまますすぎ、脱水されるため、布に引っかかった死骸を完全に除去することにならない。
【０００５】
本発明は、短時間で洗濯物に潜む害虫を駆除可能な洗濯機械を提供することである。
【課題を解決するための手段】
【０００６】
本発明の洗濯機械は、外部から空気を取り込む吸気口と、吸気口から取り込んだ空気を燃焼させ、空気を加熱する燃焼部と、燃焼部で加熱された空気が通過する洗濯ドラムと、洗濯ドラムを通過したのちの空気を外部に排出する排気口と、を有する洗濯機械であって、洗濯開始前に、燃焼部で加熱された空気を洗濯ドラムに供給することによる害虫駆除モードを有する。
【０００７】
好適には、洗濯ドラムと、排気口との間に、吸気口から空気を取り込むためのファンが設けられている。
【０００８】
好適には、害虫駆除モード時に、洗濯ドラムは回転する。
【０００９】
好適には、害虫駆除モードの駆動時間が、洗濯工程の後に行う乾燥工程の駆動時間よりも短い時間である。
【発明の効果】
【００１０】
本発明における洗濯機械によって、短時間で洗濯物に潜む害虫を駆除可能となった。
【図面の簡単な説明】
【００１１】
【図１】本発明の実施形態に係る洗濯機械の構成を示す図である。
【図２】本発明の実施形態に係る洗濯機械の制御フロー図である。
【発明を実施するための形態】
【００１２】
図１は、本発明の実施形態に係る洗濯機械の構成を示す図である。
【００１３】
本発明の実施形態に係る洗濯機械は、洗濯ドラム１１を中心に構成されている。洗濯機械は、洗濯ドラム１１を中心に、外部から空気を取り込むドラム吸気口１１ｓと洗濯ドラム１１内の空気を排出する排気口１１ｅを備える。さらに、ドラム吸気口１１ｓは、外部から取り込んだ空気を燃焼する空気燃焼路１２と接続される。空気燃焼路１２には、空気燃焼路１２内の空気を燃焼する燃焼部１３を備えている。また、空気燃焼路１２は、外部から空気を取り込む吸気口１４を備えている。ドラム排気口１１ｅには、洗濯ドラム１１内の空気を排気する排気路１５が接続されている。排気路１５には、洗濯ドラム内から排気される空気の温度を測る温度計２０が配置される。排気路１５の先には、外部へ通じる排気口１６があり、その手前にファン１７が設けられている。
【００１４】
洗濯ドラムは回転軸１１ｃを有し、回転軸１１ｃを中心に回転を行う。回転は、害虫駆除モード時や、洗濯時、すすぎ時、乾燥時などに行われる。これにより洗濯ドラム１１に入れられた洗濯物を、洗濯ドラム１１の回転により回転させ、洗濯物の汚れや埃などを洗い落とすことができる。
【００１５】
洗濯ドラム１１のドラム吸気口１１ｓには、燃焼部１３に接して空気燃焼路１２を備え、さらに外部から空気を取り入れる吸気口１４が配置されている。燃焼部１３による空気の燃焼は、短時間で空気を加熱するものであればよく、例えばガスを燃焼することにより空気を燃焼してもよい。また、電熱線など電気を通して空気を燃焼してもよい。洗濯ドラム１１の大きさによっては大量の空気を短時間で加熱する必要があるため、現時点での技術では、ガスを燃焼することにより行うことが効率がよい。
【００１６】
洗濯ドラム１１のドラム排気口１１ｅには、排気路１５が接続されており、外部に空気を排気する排気口１６の手前にファン１７が配置されている。ファン１７は、洗濯ドラム１１と排気口１６との間にあればよく、外部に効率よく空気を排気されるように配置されればいい。このファン１７により、吸気口１４から空気を取り入れ、燃焼された空気を洗濯ドラム１１内に取り込み、排気路１５を通じて、空気を排気することができる。ファン１７が排気口１６側に設けられていることで、吸気口１４から排気口１６まで一定の空気の流れを作ることができ、常に洗濯ドラム１１内の空気が新鮮な加熱空気となり、洗濯物に潜む害虫を死滅させることができる。また、洗濯ドラム１１と排気口１６との間には、温度計２０が配置される。温度計２０は、洗濯ドラム１１から排気される空気の温度を測るためのものである。
【００１７】
次に図２のフロー図に従って、本実施形態の動作について説明する。図２は、本発明の実施形態に係る洗濯機械の制御フロー図である。実施形態に係る洗濯機械では、洗濯モード（洗濯工程、すすぎ工程、脱水工程、乾燥工程などを含む）の前に害虫駆除モードを選択ることができる。害虫駆除モードの各工程が終了すると、洗濯モードの最初の工程である洗濯工程に移行する。なお、洗濯機械には、害虫駆除モードで害虫駆除を行う害虫駆除モード選択ボタンが設けられている。したがって、害虫駆除モードなしで、洗濯モードのみで、洗濯工程、すすぎ工程、脱水工程、乾燥工程などを選択して実行することもできる。
【００１８】
害虫駆除モードでは、まず、ファン１７が駆動し、洗濯ドラム１１内に空気を取り込む（ステップＳ１０１）。ファン１７が駆動すると、吸気口１４から空気を取り込み、空気燃焼路１２、ドラム吸気口１１ｓを通り、洗濯ドラム１１内に空気が取り込まれる。さらに、洗濯ドラム１１内の空気は排気路１５を通り、排気口１６から外部へと排気される。
【００１９】
次に、洗濯物が入った洗濯ドラム１１が回転する（ステップＳ１０２）。次に、燃焼部１３が駆動し、吸気口１４から空気燃焼路１２に取り込まれた空気を燃焼する（ステップＳ１０３）。このとき燃焼された空気は６５度以上の温度になっている。例えば７０−１００度の空気となっていることが好ましい。空気は、ファン１７の駆動によって、常に吸気口から空気燃焼路１２、排気路１５、排気口１６へと流れている。燃焼された空気が吸気口１４から入りつつ、洗濯ドラム１１が回転するため、洗濯物に対して満遍なく熱い空気が触れる。
【００２０】
洗濯物は、季節や室温に応じてその温度が異なるため、燃焼された空気は、洗濯物を温めつつ、排気されるときには、空気燃焼路１２もしくはドラム吸気口１１ｓから入ってきたときの温度よりも低い状態で排気されていく。ここで、ドラム排気口１１ｅ付近に設けられた温度計２０により排気される空気の温度を測り、設定された所定の温度との比較を行う（ステップ１０４）。洗濯ドラム１１の回転により満遍なく洗濯物に触れた空気は、どんどん洗濯物を温めていき、洗濯物と空気の温度が同じくらいになると、熱エネルギーを奪われることなく、排気されるようになる。これにより、ドラム排気口１１ｅ付近に設けられた温度計２０が所定の温度になったときに、ファン１７、燃焼部１３、ドラム回転を止めることができる（ステップＳ１０５）。この害虫駆除モードの駆動時間は、乾燥工程の駆動時間よりも短い時間である。特に、害虫駆除モードの駆動時間が乾燥工程の駆動時間よりも短い時間であることが好ましい。
【００２１】
ここで所定の温度とは、洗濯物に潜む害虫が死滅する温度のことであり、６０−７５度、好ましくは６５度以上であるとよい。これにより、洗濯物の表面だけでなく、繊維の奥に潜む害虫を、燃焼された加熱空気により死滅させ、さらに洗濯ドラム１１の回転とファンによる排気により、死滅した害虫を加熱空気の雰囲気の中で遠心力により、洗濯物の繊維から落ちた害虫を排出するため、洗濯ドラム１１内に害虫が残る可能性が少なくなる。またこのようによりクリーンな状態になった洗濯ドラム１１内で洗濯、乾燥をするため洗濯物から害虫の駆除をよりよくすることができる。なお、６５度になった後すぐに害虫駆除モードを終わらせずに、あらかじめ定められた所定時間連続させることも、当然に可能である。
【００２２】
洗濯ドラム１１から排気された空気の温度が、例えば６５度になるまでには、約３−４分くらいとなる。これは、空気燃焼路１２で燃焼された空気がすでに１００度以上の高温の空気であることと、一度に大量の空気を送り込むことができるためである。
【００２３】
＜実施形態の構成及び効果＞
本発明の洗濯機械は、外部から空気を取り込む吸気口と、吸気口から取り込んだ空気を燃焼させ、空気を加熱する燃焼部と、燃焼部で加熱された空気が通過する洗濯ドラムと、洗濯ドラムを通過したのちの空気を外部に排出する排気口と、を有する洗濯機械であって、洗濯開始前に、燃焼部で加熱された空気を洗濯ドラムに供給することによる害虫駆除モードを有する。このような構成を有することから、短時間で洗濯物に潜む害虫を死滅させ、除去できるという効果がある。
【００２４】
洗濯ドラムと、排気口との間に、吸気口から空気を取り込むためのファンが設けられている。このような構成を有することから、吸気口から排気口まで一定の空気の流れを作ることができ、常に洗濯ドラムの空気が新鮮な加熱空気となり、洗濯物に潜む害虫を死滅させるという効果がある。
【００２５】
害虫駆除モード時に、洗濯ドラムは回転する。このような構成を有することから、死滅した害虫を加熱空気の雰囲気の中で遠心力により、洗濯物から除去できるという効果がある。
【００２６】
害虫駆除モードの駆動時間が、洗濯工程の後に行う乾燥工程の駆動時間よりも短い時間である。このような構成を有することから、短時間で害虫を駆除できるという効果がある。
【００２７】
燃焼部から供給される空気の温度が、１００度以上である。このような構成を有することから、短時間で洗濯ドラムの洗濯物の温度を上げることができるという効果がある。
【００２８】
洗濯ドラムと、排気口との間に、温度計を設け、温度計の検出温度が６５度以上になった場合に、害虫駆除モードを終了させる。このような構成を有することから、正確に害虫を除去する時間を判断でき、短時間で害虫駆除ができるという効果がある。
【００２９】
本発明の、構成、システム、プログラム、工程順番などは、本発明の要旨を変更しない範囲で、様々に変更可能である。
また、上記実施形態は、あくまでも、現在のところの最良の形態の１つにすぎない。
【符号の説明】
【００３０】
１１      洗濯ドラム
１１ｓ    ドラム吸気口
１１ｅ    ドラム排気口
１１ｃ    回転軸
１２      空気燃焼路
１３      燃焼部
１４      吸気口
１５      排気路
１６      排気口
１７      ファン
２０      温度計
【図１】
2019083862.tif 000003
【図２】
2019083862.tif 000004
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
外部から空気を取り込む吸気口と、
前記吸気口から取り込んだ空気を燃焼させ、空気を加熱する燃焼部と、
前記燃焼部で加熱された空気が通過する洗濯ドラムと、
前記洗濯ドラムを通過したのちの空気を外部に排出する排気口と、を有する洗濯機械であって、
洗濯開始前に、前記燃焼部で加熱された空気を前記洗濯ドラムに供給することによる害虫駆除モードを有する
洗濯機械。
【請求項２】
前記洗濯ドラムと、前記排気口との間に、温度計を設け、温度計の検出温度が６５度以上になった場合に、害虫駆除モードを終了させる
請求項１に記載の洗濯機械。
【請求項３】
前記洗濯ドラムと、前記排気口との間に、前記吸気口から空気を取り込むためのファンが設けられている
請求項１又は２に記載の洗濯機械。
【請求項４】
前記害虫駆除モード時に、前記洗濯ドラムは回転する
請求項１〜３いずれか１項に記載の洗濯機械。
【請求項５】
前記害虫駆除モードの駆動時間が、洗濯工程の後に行う乾燥工程の駆動時間よりも短い時間である
請求項１〜４いずれか１項に記載の洗濯機械。